(57)【要約】【課題】風呂の蓋の有無を簡単な構成で検出することができない課題があった。【解決手段】無線ＩＣタグ４を貼付もしくは埋め込んだ浴槽の蓋３と、無線ＩＣタグ４と情報を無線で送受信する情報送受信手段６と、情報送受信手段６を制御する制御手段５と、操作部１１と、風呂給湯の機器制御手段１６とを有する構成とし、無線ＩＣタグ４と情報送受信手段６とで通信ができることによって、浴槽の蓋３が浴槽に正しくセットされているかどうかの確認が簡単でしかも確度の高い方法で実現できる。【選択図】図１
2006170462.tif 000002
【特許請求の範囲】
【請求項１】
浴槽の蓋に貼付もしくは埋め込んだ無線ＩＣタグと無線で情報を送受信する情報送受信手段と、前記情報送受信手段を制御する制御手段と、風呂給湯の操作を行う操作部と、風呂給湯の機器制御を行う機器制御手段とを有する構成とした風呂給湯装置システム。
【請求項２】
情報送受信手段は、浴室内に設けた操作部内に設ける構成とした請求項１に記載の風呂給湯装置システム。
【請求項３】
風呂給湯の制御の実行時に無線ＩＣタグと送受信不能の時は報知する報知手段を有する構成とした請求項１または２に記載の風呂給湯装置システム。
【請求項４】
風呂給湯の保温モード実行時に無線ＩＣタグと送受信不能の時は報知する報知手段を有する構成とした請求項１または２に記載の風呂給湯装置システム。
【請求項５】
請求項１〜４のいずれか１項に記載の風呂給湯装置システムの機能の少なくとも一部をコンピュータに実行させるためのプログラム。
【発明の詳細な説明】
【技術分野】
【０００１】
本発明は、無線ＩＣタグを利用した風呂給湯装置システムおよびそのプログラムに関するものである。
【背景技術】
【０００２】
従来、この種の風呂の蓋検知を用いた風呂給湯装置システムはすでに知られている（例えば、特許文献１参照）。
【０００３】
図６は、特許文献１に記載された風呂給湯装置システムを示すものである。
【０００４】
この風呂給湯装置システムは、図６に示すように、浴室１００と、風呂給湯装置１０１と、浴室１００内に設置される浴室リモコン１０２と、風呂給湯装置１０１および浴室リモコン１０２と通信線により接続した台所リモコン１０３と、浴槽１０４と、浴槽の蓋１０５と、蓋に設けられたマーキング１０６、浴槽の天井面に設置された撮像手段１０７、浴槽１０４内の温度を検出する風呂温度検出装置１０８とを備えている。
【０００５】
この構成において、風呂の蓋１０５に設けられたマーキング１０６が浴槽１０４にセットされているかを撮像手段１０７によって検出し、正しくセットされているかどうかを台所リモコン１０３などに報知するものである。
【特許文献１】特開２００２−６５４９３号公報
【発明の開示】
【発明が解決しようとする課題】
【０００６】
しかしながら、前記従来の構成では、浴槽内に配した撮像手段１０７は天井面に配することで、浴槽内の蒸気で曇ったり正しく認識されないことや、露点温度付近でも同様のことが発生する課題があった。
【０００７】
また、使用者が入浴後、蓋１０５を浴槽にセットせずに浴室から出た場合、次の使用者が長い間入浴しない場合は、浴槽１０４の湯の温度が低下してきてしまう。自動運転の場合は、風呂温度検出装置１０８が働いて追いだきを行い、無駄なエネルギーを消費する課題もあった。
【０００８】
本発明は、前記従来の課題を解決するもので、使用者の操作性の向上が図れる風呂給湯装置システムおよびそのプログラムを提供することを目的とする。
【課題を解決するための手段】
【０００９】
前記従来の課題を解決するために、本発明の風呂給湯装置システムは、浴槽の蓋に貼付もしくは埋め込んだ無線ＩＣタグとで無線で情報を送受信する情報送受信手段と、前記情報送受信手段を制御する制御手段と、風呂給湯の操作を行う操作部と、風呂給湯の機器制御を行う機器制御手段とを有する構成としたものである。
【００１０】
これにより、ふろの蓋が浴槽に正しくセットされているかどうかを簡単でしかも確度の高い構成で実現できる。また、不使用時の浴槽の温度低下を防ぎ、省エネルギーの向上が図れるものである。
【発明の効果】
【００１１】
本発明の風呂給湯装置システムおよびそのプログラムは、浴槽内のふろの蓋のセットを簡単な構成で検出できるので、ふろをわかす場合や、入浴でないときのお湯の温度低下を防ぎ省エネルギーの向上が図れるものである。
【発明を実施するための最良の形態】
【００１２】
第１の発明は、浴槽の蓋に貼付もしくは埋め込んだ無線ＩＣタグとで無線で情報を送受信する情報送受信手段と、前記情報送受信手段を制御する制御手段と、風呂給湯の操作を行う操作部と、風呂給湯の機器制御を行う機器制御手段とを有することによって、対応する風呂給湯装置はふろの蓋が浴槽に正しくセットされているかどうかを簡単でしかも確度の高い構成で実現できる。
【００１３】
第２の発明は、特に、第１の発明において、無線ＩＣタグと通信する情報送受信手段は、浴室内に設けた操作部内に設ける構成にしたことにより、情報通信手段が浴槽内で邪魔にならずに無線ＩＣタグと近距離で確実に通信でき、第１の発明と同様の制御を実行することができる。
【００１４】
第３の発明は、特に、第１または第２の発明において、風呂給湯の制御の実行時に無線ＩＣタグと送受信不能の時は報知する報知手段を有することにより、風呂給湯開始から実行時に浴槽に蓋がセットしていなければ自動的に報知し、使用者に注意を喚起することができる。
【００１５】
第４の発明は、特に、第１〜第２のいずれか１つの発明において、風呂給湯の保温モード実行時に前記無線ＩＣタグと送受信不能の時は報知する報知手段を有することにより、使用者が長い間入浴しない風呂の保温時に浴槽に蓋がセットしていなければ自動的に報知し、使用者に注意を喚起することができる。
【００１６】
第５の発明は、特に、第１〜第４のいずれか１つの発明における風呂給湯装置システムの機能の少なくとも一部をコンピュータに実行させるためのプログラムとすることにより、プログラムであるので、電気・情報機器、コンピュータ等のハードリソースを協働させて風呂給湯装置システムの少なくとも一部を容易に実現することができる。
【００１７】
以下、本発明の実施の形態について、図面を参照しながら説明する。なお、本実施の形態によって本発明が限定されるものではない。
【００１８】
（実施の形態１）
図１は、本発明の実施の形態１における風呂給湯装置システムの全体構成を示している。
【００１９】
図１に示すように、浴室１内に浴槽２が配され、浴室の蓋３に無線ＩＣタグ４が貼付または埋め込んで構成されている。無線ＩＣタグ４は、通信する無線の電力により電源が供給され特定の電源や電池を必要とはしないパッシブ型の無線ＩＣタグである。
【００２０】
無線ＩＣタグには、図示はしないが、構成要件としては無線により所定の情報を通信する通信手段と、情報を記憶している記憶手段と、通信手段と記憶手段を制御する制御手段とで構成され、記憶手段には蓋の製造コードなどの数値データが書きこまれている。
【００２１】
風呂給湯装置７は、風呂給湯装置７を操作するため台所に設置され操作部８と表示部９を設けた台所リモコン１０と、浴室１内に設置され操作部１１と表示部１２を設けた風呂リモコン１３と、給湯の燃焼制御を行う燃焼制御部１４とを有している。
【００２２】
風呂リモコン１３には、無線ＩＣタグと情報を送受信するための情報送受信手段６とその制御手段５が接続され、浴槽の蓋に貼付された無線ＩＣタグ４の情報を読み取ることができる。また、台所リモコン１０や風呂リモコン１３の各操作部からの指令で燃焼制御部１４との間で通信を行う通信インターフェース１５が設けられ、燃焼制御部１４などの各手段を制御する機器制御手段１６とを有する。
【００２３】
ここで、風呂リモコン１３から無線ＩＣタグ４に対して制御手段５、情報送受信手段６を介して搬送電波を送信する。無線ＩＣタグ４はタグ内の通信手段がこの搬送電波を受信し、この電波によって供給される電力で制御手段が起動され、記憶手段に記憶された蓋３の情報を搬送電波で反射して送信する。
【００２４】
この場合、浴槽の蓋３に貼付された無線ＩＣタグ４は、情報送受信手段６と近接して設け搬送電波が送受信しやすい位置におくことが望ましく、両者の距離は数１０センチメートル以内であれば確実に情報の送受信（浴槽の蓋の有無の確認）が可能である。
【００２５】
この一連の操作は、風呂リモコン１３から定期的に搬送電波を送信したり、使用者が操作部１１を操作する毎に実行してもよい。
【００２６】
以上のように構成された風呂給湯装置システムにおいて、浴槽の蓋に無線ＩＣタグを配し無線ＩＣタグと情報送受信手段とで通信ができることによって、浴槽の蓋が浴槽に正しくセットされているかどうかを簡単でしかも確度の高い方法で実現できる。
【００２７】
（実施の形態２）
図２は、本発明の実施の形態２における風呂給湯装置システムの全体構成を示すものである。実施の形態１と同一要素については同一符号を付して説明を省略する。
【００２８】
本実施の形態においては、無線ＩＣタグ４と通信する情報送受信手段６とその制御手段５を浴室内に設けた風呂リモコン１３内に設ける構成にしたことにより、情報送受信手段６とその制御手段５が浴槽内で邪魔にならずに同様の制御を実行することができる。
【００２９】
これにより、無線ＩＣタグ４と通信するための情報通信手段６は、浴槽内の水濡れなどによる誤動作が防げる他、浴槽内の美観の向上、情報の通信の信頼性の向上が図ることができる。なお、風呂リモコン１３と無線ＩＣタグ４は近接して置かれることが望ましいことは実施の形態１と同様である。
【００３０】
（実施の形態３）
図３は、本発明の実施の形態３における風呂給湯装置システムの全体構成を示し、図４はそのシーケンスをあらわすものである。実施の形態１、２と同一要素については同一符号を付して説明を省略する。
【００３１】
本実施の形態においては、図３において無線ＩＣタグ４と風呂リモコン１３の情報送受信手段６とで通信のやり取りができない場合にアラームを報知する報知手段１７を有するものである。
【００３２】
報知手段１７へのアラームの方法としては、使用者が風呂給湯（例えばお湯張り）を開始しようと台所リモコン１０や風呂リモコン１３の各操作部８、１１で操作指令を出した時に（図４のＳ１８）、浴槽の蓋３が正しくセットされていない場合には、情報送受信手段６からの搬送電波からの応答が帰ってこないので情報のやり取りができなくなる（Ｓ１９、Ｓ２０、Ｓ２１）。したがって、機器制御手段１６は報知手段１７でアラームを報知するものである（Ｓ２２）。
【００３３】
なお、報知手段１７は図示していないが台所リモコン１０に備えて台所で報知するようにしてもよい。また、各表示部９、１２で表示によって報知してもよく本実施の形態に限定されない。
【００３４】
このような構成で、風呂給湯の制御の実行時に無線ＩＣタグと送受信不能の時はアラームを報知する報知手段を有することにより、風呂給湯の実行時に浴槽に蓋が正しくセットしていなければ自動的に報知し、使用者に注意を喚起することができる。
【００３５】
（実施の形態４）
図５は、本発明の実施の形態４における風呂給湯装置システムのシーケンスを示すものである。風呂給湯装置システムの全体構成は図３と同じであるので省略する。
【００３６】
本実施の形態においては、報知手段１７へのアラームの方法としては、使用者が入浴後に浴室の蓋３をしない場合や、入浴後に次の使用者が入浴せず自動運転により湯温を一定に保つ保温モードなど保温制御を行う場合（図５のＳ２３）に、浴槽の蓋３がセットされていない場合、情報送受信手段６からの搬送電波(Ｓ２４、Ｓ２５、Ｓ２６)からの応答が帰ってこないので情報のやり取りができなくなる。そこで、機器制御手段１６は報知手段１７でアラームを報知(Ｓ２７)するものである。
【００３７】
実施の形態３と同様に、報知手段１７は図示していないが台所リモコン１０で報知してもよいし、各表示部９、１２で表示してもよい。
【００３８】
このような構成で風呂給湯の保温制御の実行時に無線ＩＣタグと送受信不能の時はアラームを報知する報知手段を有することにより、浴槽の蓋３が正しくセットしていなければ自動的に報知し、使用者に注意を喚起することができ、省エネルギーの向上がはかることができる。
【００３９】
なお、各実施の形態１〜４で説明した各手段は、ＣＰＵ（またはマイコン）、ＲＡＭ、ＲＯＭ、記憶・記録装置、Ｉ／Ｏなどを備えた電気・情報機器、コンピュータ等のハードリソースを協働させるプログラムの形態で実施してもよい。プログラムの形態であれば、磁気メディアや光メディアなどの記録媒体に記録したものでもよい。
【産業上の利用可能性】
【００４０】
本発明の風呂給湯装置システムおよびそのプログラムは、風呂の蓋の検出を簡単な構成で検出するもので、さまざまなエネルギー媒体の風呂給湯装置への応用や、リモコンなどに組み込まれることによって、無線ＩＣタグを利用の拡大と省エネルギーの向上が可能となる。
【図面の簡単な説明】
【００４１】
【図１】本発明の実施の形態１における風呂給湯装置システムの全体構成図
【図２】本発明の実施の形態２における風呂給湯装置システムの全体構成図
【図３】本発明の実施の形態３、４における風呂給湯装置システムの全体構成図
【図４】本発明の実施の形態３における風呂給湯装置システムのシーケンス図
【図５】本発明の実施の形態４における風呂給湯装置システムのシーケンス図
【図６】従来の風呂給湯装置システムの構成図
【符号の説明】
【００４２】
１  浴室
２  浴槽
３  浴槽の蓋
４  無線ＩＣタグ
５  制御手段
６  情報送受信手段
７  風呂給湯装置
８  操作部
９  表示部
１０  台所リモコン
１１  操作部
１２  表示部
１３  風呂リモコン
１４  燃焼制御部
１５  通信インターフェース
１６  機器制御手段
【図１】
2006170462.tif 000003
【図２】
2006170462.tif 000004
【図３】
2006170462.tif 000005
【図４】
2006170462.tif 000006
【図５】
2006170462.tif 000007
【図６】
2006170462.tif 000008